(57)【要約】【課題】施工作業が迅速に行えると共に、施工作業コストを安価にすることの出来るケーブルトラフの施工構造を提供する。【解決手段】ケーブルダクトの一方側側壁部として利用するトンネル、道路あるいは線路の側壁と、底壁部及び該底壁部の幅方向両端から立ち上がる側壁とにより断面略U字状をなすケーブルダクト本体と、を有し、ダクト側壁及びダクト本体部品の一方側側壁とにより第１ダクト本体部を形成し、ダクト本体部品の一方側側壁と他方側側壁間には第２ダクト本体部が形成してなり、ダクト本体部品の一方側側壁の上端部には蓋載置部が設けられ、ケーブルトラフ本体は、プレキャストコンクリート製品で形成し、一方側側壁外側と対向するダクト側壁の内側にはダクト蓋載用の係止部が形成された、  ことを特徴とする。【選択図】              図１
2008283779.tif 000002
【特許請求の範囲】
【請求項１】
線路部の脇に設けられた高欄をダクト側壁に兼用すると共に、該高欄のダクト側壁に蓋係止部を形成してなり、
前記高欄のダクト側壁との対向面側には所定間隔をおいて断面略Ｕ字状をなすあらかじめ製造されたダクト本体部品を前記所定間隔の長さを変更自在にして敷設し、前記蓋係止部が形成された高欄のダクト側壁及び前記ダクト本体部品の一方側側壁とにより略凹状をなす第１ダクト本体部を形成してなり、
前記ダクト本体部品の一方側側壁の上端部には前記高欄のダクト側壁に設けられた蓋係止部と略同等の高さ位置に蓋載置部が設けられ、
前記双方の蓋係止部及び蓋載置部間には、あらかじめ製造されたダクト用の蓋が載置可能とされ、
かつ前記ダクト本体部品の一方側側壁と他方側側壁間には第２ダクト本体部があらかじめ形成さてなると共に、上端部にはダクト用蓋が載置された、
ことを特徴とする複数ケーブルダクトの敷設構造。
【請求項２】
線路部の脇に設けられた高欄をダクト側壁に兼用すると共に、該高欄のダクト側壁に蓋係止部を形成してなり、
前記高欄のダクト側壁との対向面側には所定間隔をおいて断面略Ｕ字状をなすあらかじめ製造されたダクト本体部品を前記所定間隔の長さを変更自在にして敷設し、前記凹状をなす第１ダクト本体部の凹状幅を長さ調節自在にして形成可能とし、
前記ダクト本体部品の一方側側壁の上端部には前記高欄のダクト側壁に設けられた蓋係止部と略同等の高さ位置に蓋載置部を設け、
前記双方の蓋係止部及び蓋載置部間には、あらかじめ製造されたダクト用の蓋が載置可能とされ、
かつ前記ダクト本体部品の一方側側壁と他方側側壁間には第２ダクト本体部があらかじめ形成さてなると共に、前記他方側側壁上端部には、平面状の蓋載置部あるいは、コ字状に切り欠かれた蓋係止部が設けられ、高欄側の蓋係止部とダクト本体部品側の蓋係止部にはダクト用蓋が嵌合して載置された、
ことを特徴とする複数ケーブルダクトの敷設構造。
【発明の詳細な説明】
【技術分野】
【０００１】
本発明は、例えば道路、トンネル、高架型高速道路あるいは高架橋型鉄道用線路などの路面幅方向端部において側壁や高欄を利用して施工する複数ケーブルダクトの敷設構造に関するものである。
【背景技術】
【０００２】
従来、例えば道路、トンネル内、高架型高速道路あるいは高架型鉄道用線路の路面幅方向端部に各種の配線ケーブルを収納するケーブルダクトが設けられ、かつ当該ケーブルダクトの施工に際しては数多くの提案がなされている。
例えば特開平６−２８４５４３号公報にはトラフ受け台の形状・寸法を変えることなく幅の異なるトラフを敷設できる配線路が提案されている等のごときである。
【特許文献１】特開平６−２８４５４３号公開公報
【発明の開示】
【発明が解決しようとする課題】
【０００３】
かくして、本発明は、前記従来からの各種提案にさらに思考、改良を加えて創案されたものであって、施工作業が迅速に行えると共に、施工作業コストを安価にすることの出来るケーブルダクトの敷設構造を提供することを目的とするものである。
【課題を解決するための手段】
【０００４】
本発明によれば、線路部の脇に設けられた高欄をダクト側壁に兼用すると共に、該高欄のダクト側壁に蓋係止部を形成してなり、
前記高欄のダクト側壁との対向面側には所定間隔をおいて断面略Ｕ字状をなすあらかじめ製造されたダクト本体部品を前記所定間隔の長さを変更自在にして敷設し、前記蓋係止部が形成された高欄のダクト側壁及び前記ダクト本体部品の一方側側壁とにより略凹状をなす第１ダクト本体部を形成してなり、
前記ダクト本体部品の一方側側壁の上端部には前記高欄のダクト側壁に設けられた蓋係止部と略同等の高さ位置に蓋載置部が設けられ、
前記双方の蓋係止部及び蓋載置部間には、あらかじめ製造されたダクト用の蓋が載置可能とされ、
かつ前記ダクト本体部品の一方側側壁と他方側側壁間には第２ダクト本体部があらかじめ形成さてなると共に、上端部にはダクト用蓋が載置された、
ことを特徴とし、
または、
線路部の脇に設けられた高欄をダクト側壁に兼用すると共に、該高欄のダクト側壁に蓋係止部を形成してなり、
前記高欄のダクト側壁との対向面側には所定間隔をおいて断面略Ｕ字状をなすあらかじめ製造されたダクト本体部品を前記所定間隔の長さを変更自在にして敷設し、前記凹状をなす第１ダクト本体部の凹状幅を長さ調節自在にして形成可能とし、
前記ダクト本体部品の一方側側壁の上端部には前記高欄のダクト側壁に設けられた蓋係止部と略同等の高さ位置に蓋載置部を設け、
前記双方の蓋係止部及び蓋載置部間には、あらかじめ製造されたダクト用の蓋が載置可能とされ、
かつ前記ダクト本体部品の一方側側壁と他方側側壁間には第２ダクト本体部があらかじめ形成さてなると共に、前記他方側側壁上端部には、平面状の蓋載置部あるいは、コ字状に切り欠かれた蓋係止部が設けられ、高欄側の蓋係止部とダクト本体部品側の蓋係止部にはダクト用蓋が嵌合して載置されたことを特徴とするものである。
【発明の効果】
【０００５】
本発明によれば、施工作業が迅速に行えると共に、施工作業コストを安価にしうるケーブルダクトの施工構造を提供出来るとの効果を奏する。
【発明を実施するための最良の形態】
【０００６】
以下本発明を図に示す実施例に基づいて説明する。
図１に本発明によるケーブルダクトの敷設構造を示す。
図１において、符号１は高架橋型の鉄道用線路を示し、当該高架型鉄道用線路１の幅方向両端部には各種複数のケーブル２・・・が収納されたケーブルダクト３が前記高架型鉄道用線路１の長手方向に向かって敷設される。
【０００７】
なお、本発明において、高架型の鉄道線路に限定されるものではなく、一般道路などの交通路でも構わない。
【０００８】
符号４は鉄道用線路１の高欄であり、該鉄道用線路１の長手方向に向かって側壁状に設置されている。
ここで、前記高欄４は、線路幅方向両端部から、あるいは一方側の端部から上方に向かい立ち上がって形成され、かつ線路の長手方向に向かって長尺に連続して設けられている。
しかして、本発明では、ケーブルダクト３の施工に際し、前記高欄４などをケーブルダクト３の敷設により形成される第１ダクト本体部１３の一方側の側壁７として利用するものとした。
【０００９】
次いで、符号５は、ケーブルダクト本体部品を示し、該ケーブルダクト本体部品５は、底壁部６及び該底壁部６の幅方向両端において上部方向に立ち上る両側の側壁７、７とによって断面略U字状をなして形成されている。
ここで、前記ケーブルダクト本体部品５及び前記ケーブルダクト本体部品５と前記高欄４間に載置されるダクト蓋８はあらかじめ工場でプレキャストコンクリート製品として形成される。
【００１０】
このように、ケーブルダクト３を形成するために大部分の時間が費やされる前記ケーブルダクト本体部品５及び前記ダクト蓋８を形成をあらかじめプレキャストコンクリート製品としておくものとする。
【００１１】
この様に構成すると、このプレキャスト製品化した前記ケーブルダクト本体部品５及び前記ダクト蓋８を大量製造して製造工場に大量にストックしておくことができ、その後必要に応じて大量に施工現場（高架型鉄道用線路１内）へ運搬、敷設することができる。
【００１２】
施工現場では、これら前記ケーブルダクト本体部品５及び前記ダクト蓋８を線路長手方向に順次接続してケーブルダクト３を敷設するのみで済み、大幅に施工時間が短縮でき、施工コストも安価にすることが出来る。しかも従来に比して大幅に品質も向上させることが出来るとのメリットがある。
【００１３】
また、図２乃至図４から理解されるとおり、前記ケーブルダクト本体部品５は、前記底壁部６の幅の異なる各種タイプ別で製造、ストックされ、例えば、ケーブルダクト３内に収納される各種の配線ケーブル２の数量、径の大きさ等に対応して、最適な底面幅の底壁部６を有するケーブルダクト本体部品５が選ばれ、敷設できる。
なお、前記底壁部の底面幅の長さはこれらの図のものに限定されるものではない。
【００１４】
さらに、前記ケーブルダクト本体部品５は前記底壁部６の長手方向の長さが異なる各種タイプ別でも製造、ストックされる。
例えば、施工現場において、ケーブルダクト３を前記高架型鉄道用線路１の長手方向に向かって敷設する際、線路直線部においては、前記底壁部６の長さが長尺なタイプのケーブルダクト本体部品５が選ばれ、敷設されることがある。
【００１５】
なお、前記底壁部６の長さは限定されてはいない。
同様に、前記ダクト蓋８についても、前記ケーブルダクト本体部品５の各種タイプに対応した幅及び、長さのことなるものが各種タイプ別で製造、ストックされる。
【００１６】
ここで、図２乃至図４から理解されるように、前記ケーブルダクト本体部品５の底壁部６には、線路の路面上に打設されるモルタル１５やケーブルダクト本体部品５の底面に打設される固定モルタル１４と一体化させる連結アンカー１６の施工用穴９が設けられていると共に、長手方向略中央には吊り上げ運搬用の吊り上げナット穴１０が設けられている。
【００１７】
この連結アンカー１６の施工用穴９及び吊り上げ運搬用の吊り上げナット穴１０の形成個数については何ら制限されるものではなく、それぞれ２個以上の複数個設けても構わないものである。      
図２乃至図４に示す具体例では、連結アンカー１６の施工用穴９は底壁部６の長手方向中央部に１個、また吊り上げナット穴１０はやはり中央部に１個の合計２個形成してある。
【００１８】
ところで、断面略U字状をなすケーブルダクト本体部品５における両側壁７、７の上端部上面は略水平に形成され、該両側壁７、７上端部上面に前記トラフ蓋８が密着して載置可能な様に蓋載置部１１が形成される。
【００１９】
ここで、ケーブルダクト本体部品５における一方側側壁７の上端部は、当該一方側側壁７の外側面から、上方向に向かい、外側に上り勾配状の傾斜面を有して延び、該傾斜面の上端部からさらに前記上方向に垂直壁を構成し、その部分が厚みを有する膨出部として構成されてなり、前記側壁７の上端部の厚み幅が長くなるように形成されている。
【００２０】
このように側壁７の上端面の幅に厚みを有して構成することにより蓋載置部１１に載置されるダクト蓋８を密着させて、安定的に支持できる。
【００２１】
次に本発明の施工状態につき説明する。
線路部の脇には高欄４が設けられている。該高欄４の一部をダクトの一方側側壁７に兼用する。
ついで、前記高欄４側の側壁７との対向面側には所定の間隔をおいて断面略Ｕ字状をなすあらかじめ製造されたダクト本体部品５を前記所定間隔の長さを変更自在にして敷設する。
【００２２】
そして、前記蓋載置部１１が形成された高欄４側の側壁７及び前記ダクト本体部品５の一方側側壁部７とにより略凹状をなす第１ダクト本体部１３が形成される。
この第１ダクト本体部１３の底面幅は変更自在であり、収納するケーブル２の数量やその他の要因により、幅の長さは決定される。
【００２３】
この第１ダクト本体部１３の底面幅が決定した後、ケーブルダクト本体部品５の施工用穴９を連結アンカー１６に遊嵌させつつ位置決め微調整し、固定用モルタル１４を打設する。この固定用モルタル１４はケーブルダクト本体部品５の底面下側および第１ダクト本体部１３の底面部に打設される。
【００２４】
そして、前記ダクト本体部品５の一方側側壁７の上端部には前記高欄４側のダクト側壁に設けられた蓋係止部１１と略同等の高さ位置に蓋載置部１２が設けられる。
【００２５】
そして、前記双方の蓋係止部１１及び蓋載置部１２間には、あらかじめ製造されたダクト用の蓋８が密着して載置される。
【００２６】
さらに、前記ダクト本体部品５の一方側側壁７と他方側側壁７間には第２ダクト本体部１７があらかじめ形成さてなると共に、双方の側壁７，７上端部には各々蓋載置部１２、１２が設けられてダクト用蓋８が密着して載置されるものとなる。
【００２７】
なお、ダクト本体部品５の他方側側壁７上端部には、コ字状に切り欠かれた蓋係止部１１を形成してもよく、この場合、高欄４側の蓋係止部１１とこのダクト本体部品５側の蓋係止部１１にはダクト用蓋８が嵌合して載置されるものとなる。
【００２８】
なお、高欄４の側壁７に蓋係止部１１を形成する具体例につき説明する。
線路などの前記高欄４側壁７の内側において、前記蓋係止部１１があらかじめ設けられていることもあるが、このようなダクト蓋８載置用の前記蓋係止部１１があらかじめ設けられていないときは、施工現場において新たに前記高欄４側の側壁７内側にダクト蓋載置用の前記蓋係止部１１を形成する必要がある。
【００２９】
しかし、この形成作業は決して困難なものではなく、例えば長尺の角棒状部材を線路などの高欄４側壁７の内側に水平方向へ延出させて取り付ければよいのである。
【００３０】
このような取り付け作業により、固定した角棒状部材の上面と、線路などの高欄４側壁７の内側面とによりダクト蓋載置用の前記蓋係止部１１が容易に形成できることとなる。
そして、これら断面略Ｌ字状に凹んで形成された前記蓋係止部１１と、ケーブルダクト本体部品５における、前記蓋載置部１２や蓋係止部１１にかけてダクト蓋８が載置されるのである。
【００３１】
また、図５及び図６から理解されるとおり、底壁部６と該底壁部６の一方側端部から立ち上がる側壁７により形成された断面略L字状をなすタイプのケーブルダクト本体部品５を２個向かい合わせに敷設することにより、前記断面略U字状のケーブルダクト本体部品５と同様、第２ダクト本体部１７の形成が可能であり。
【００３２】
そして、図５から理解されるとおり、前記本体部品５において側壁７の上方外側面から、上端部に向かい、外側に上り勾配状の傾斜面を有し、該傾斜面の上端部からさらに前記上端部に向かい垂直壁を構成し、前記側壁７の上端面幅が厚みを有するように、膨出部が形成され、前記側壁７の上端部外側面側からフラットな上端面を形成し、かつ側壁７の上端部内側面から垂下した形状として蓋載置部１２が形成される。
【００３３】
前記蓋載置部１２は前記高欄４側のダクト側壁に設けられた蓋係止部１１と略同等の高さ位置に設けられ、前記蓋係止部１１及び蓋載置部１２間にあらかじめ製造されたダクト用の蓋８が密着して載置される。
【００３４】
さらに、向かい合わせに敷設したことで前記一方側側壁７と他方側側壁７間には第２ダクト本体部１７が形成され、双方の側壁７，７上端部には各々蓋載置部１２、１２が設けられ、前記蓋載置部１２、１２間にダクト用蓋８が密着して載置されるものとなる。
【００３５】
ここで、前記側壁７上端部には、コ字状に切り欠かれた蓋係止部１１を形成してもよい。
また、図６から理解されるとおり、図に表される前記ケーブルダクト本体部品５においては前記側壁７の上端部は前記側壁７の上方内側面から、上端部に向かい外側に上り勾配状の傾斜面を有し、該傾斜面の上端部からさらに前記上面に向かい垂直壁を構成し、その垂直壁の上部に、コ字状に切り欠かれた蓋係止部１１が設けられている。
【００３６】
なお、前記本体部品５を向かい合わせに敷設する際のケーブルダクト本体部品５、５間の所定間隔の長さは、変更が自在にしてあり、もって施工現場の状況や各種の事情によりケーブルダクト本体部品５、５間を調節できるようにし、施工作業がよりスムーズになるよう構成してある。
【００３７】
ところで、本発明によるケーブルダクトの施工方法は、まず、鉄道の線路の路面幅方向端部に図１に示すようにモルタル１５を打設する。
【００３８】
ついで、断面略U字状のケーブルダクト本体部品５を前記鉄道の線路の路面幅方向端部に敷設する。この際、上記で示したとおり、敷設現場において、最適な底面幅の底壁部６を有し、かつ最適な底面分６の長さを有するタイプのケーブルダクト本体部品５を選択すべく、あらかじめ製造、ストックされたケーブルダクト本体部品５の中から選んで、敷設される。
【００３９】
ここで、ケーブルダクト本体部品５の吊り上げ運搬作業及び敷設作業は、吊り上げナット穴１０が利用される。
すなわち、ケーブルダクト本体部品５を構成する前記側壁７の長手方向両上端部を所定の把持部材で把持すると共に、前記の吊り上げナット穴１０にボルト状吊り上げ棒を螺合し、いわゆる３点吊りの状態等にして吊り上げ、かつ運搬し、所定位置に載置するのである。  
【００４０】
ケーブルダクト本体５部品の敷設箇所には、あらかじめ棒状の連結アンカー１６が突設されて仮設されている。よって、吊り上げられているケーブルダクト本体部品５の前記連結アンカー１６の施工用穴９に突設された前記連結アンカー１６が遊嵌するように降下させれば、簡単に位置決めできて所定箇所にケーブルダクト本体部品５を敷設できるものとなる。これによりケーブルダクト本体部品５の迅速、確実な敷設が確保できるとの効果が得られる。
【００４１】
この際、前述の通り、ケーブルダクト本体部品５の敷設、施工に際し、前記高欄４一方側の側壁７として利用可能なように所定間隔をあけて敷設され、これによりまず、第１ダクト本体部１３が形成される。
【００４２】
ここで、この第１ダクト本体部１３の底面幅は変更自在で、いかようにも設定できる。この第１ダクト本体部１３に収納されるケーブル数など、あるいは現場の状況で決定できる。
なお、連結アンカー１６の施工用穴９からは例えば固定用モルタル１４を打設して、ケーブルダクト本体部品５を前記固定用モルタル１４に固定するものとする。
かかる敷設作業を、路面の長手方向に向かってケーブルダクト本体部品５を繋げながら行う。
【００４３】
そして、最終的には、前記第１ダクト本体部１３及び第２ダクト本体部１７内に各種のケーブル２を収納した後、ケーブルダクト蓋８を上方から載置してケーブルダクトの施工終了となる。
【図面の簡単な説明】
【００４４】
【図１】本発明の構成を説明する構成説明図（その１）である。
【図２】本発明の構成を説明する構成説明図（その２）である。
【図３】本発明の構成を説明する構成説明図（その３）である。
【図４】本発明の構成を説明する構成説明図（その４）である。
【図５】本発明の構成を説明する構成説明図（その５）である。
【図６】本発明の構成を説明する構成説明図（その６）である。
【符号の説明】
【００４５】
１      鉄道用線路
２      ケーブル
３      ケーブルダクト
４      高欄
５      ケーブルダクト本体部品
６      底壁部
７      側壁
８      ダクト蓋
９      連結アンカーの施工用穴
１０    吊り上げナット穴
１１    蓋係止部
１２    蓋載置部
１３    第１ダクト本体部
１４    固定モルタル
１５    モルタル
１６    連結アンカー
１７    第２ダクト本体部
【図１】
2008283779.tif 000003
【図２】
2008283779.tif 000004
【図３】
2008283779.tif 000005
【図４】
2008283779.tif 000006
【図５】
2008283779.tif 000007
【図６】
2008283779.tif 000008